(57)【要約】【課題】ディスクの振動を適切に抑制し、ランプの破損を低減させることが可能なディスク装置およびフィルタを提供する。【解決手段】  本発明のディスク装置１００は、記録媒体であるディスク１２０を回転させる回転駆動部であるスピンドルモータ１１０と、ディスク１２０に対して記録再生を行うヘッドをディスク上の所定の地位に回転移動させるヘッドスタックアセンブリ１３０とをベース１０５上に備える。かかるディスク装置１００は、ディスク１２０上から退避されたヘッドを載置するランプ１４０とスピンドルモータ１１０の回転中心に対して略対称に設けられ、スピンドルモータ１１０の回転軸方向におけるディスク１２０の動きを規制するリミッタ１５５を有するフィルタ１５０を備えることを特徴とする。【選択図】図１
2009158000.tif 000002
【特許請求の範囲】
【請求項１】
記録媒体であるディスクを回転させる回転駆動部と、前記ディスクに対して記録再生を行うヘッドを前記ディスク上の所定の地位に回転移動させるヘッドスタックアセンブリとをベース上に備えるディスク装置であって、
前記ディスク上から退避された前記ヘッドを載置するランプと前記回転駆動部の回転中心に対して略対称に設けられ、前記回転駆動部の回転軸方向における前記ディスクの動きを規制するリミッタを有するフィルタを備えることを特徴とする、ディスク装置。
【請求項２】
前記リミッタは、前記ディスクの情報記録領域ではない外周領域において、前記回転駆動部の回転軸方向における前記ディスクの動きを規制することを特徴とする、請求項１に記載のディスク装置。
【請求項３】
前記フィルタのリミッタは、
前記ディスクの外周領域上方に位置する第１のリミッタ部と、前記ディスクの外周領域下方に位置する第２のリミッタ部と、を備え、
前記ディスクの回転軸方向における、前記第１のリミッタ部と前記ディスクとの距離および前記第２のリミッタ部と前記ディスクとの距離は、前記ランプと前記ディスクとの距離より小さいことを特徴とする、請求項２に記載のディスク装置。
【請求項４】
前記第１のリミッタ部および前記第２のリミッタ部の前記ディスクと対向する面には、前記ディスクの回転中心から離隔するにつれて前記ディスクに接近する傾斜が形成されることを特徴とする、請求項３に記載のディスク装置。
【請求項５】
前記第１のリミッタ部および前記第２のリミッタ部の前記ディスクと対向する面には、前記ディスク側に突出する突起部を有することを特徴とする、請求項３または４に記載のディスク装置。
【請求項６】
前記フィルタは、前記ベースの一の角部に設けられることを特徴とする、請求項１〜５のいずれかに記載のディスク装置。
【請求項７】
前記第１のリミッタ部と前記第２のリミッタ部とは、前記ディスクの回転軸方向において対向しないように形成されることを特徴とする、請求項１〜６のいずれかに記載のディスク装置。
【請求項８】
記録媒体であるディスクを回転させる回転駆動部と、前記ディスクに対して記録再生を行うヘッドを前記ディスク上の所定の地位に回転移動させるヘッドスタックアセンブリとを備えるディスク装置に設けられるフィルタであって、
前記ディスク上から退避された前記ヘッドを載置するランプと前記回転駆動部の回転中心に対して略対称に設けられ、
前記ディスクの情報記録領域ではない外周領域において前記回転駆動部の回転軸方向における前記ディスクの動きを規制するリミッタを備えることを特徴とする、フィルタ。
【発明の詳細な説明】
【技術分野】
【０００１】
本発明は、ディスク装置に関し、より詳細には、ディスクの振れを抑制するリミッタを備えるディスク装置に関する。
【背景技術】
【０００２】
例えばハードディスクドライブ（Ｈａｒｄ  Ｄｉｓｋ  Ｄｒｉｖｅ；以下、「ＨＤＤ」とする。）等のディスク装置は、情報を記録する記録媒体であるディスクをスピンドルモータにより回転させた状態で、ヘッドにより情報の記録再生を行う装置である。ＨＤＤは、例えばノートパソコンやＭＰ３プレーヤー、自動車等に搭載されており、その用途は多様にある。このため、過酷な条件下で使用されることも多くなってきたが、ＨＤＤに外部から大きな衝撃が加わるとディスクが振動してしまい、情報の記録再生を正確に行うことができなくなる場合もある。
【０００３】
ここで、ＨＤＤには、装置が停止しているときにヘッドをディスクの外へ退避させるランプ・ロード機構を採用している。ランプは、ディスク面上から退避するヘッドを保持する部品である。ランプとディスク面上との間でヘッドを円滑に移行させるため、ランプは傾斜を有して形成されており、その一部がディスクの外周面上に位置するように設けられる。このため、装置に衝撃が加わってディスクが振動すると、ディスクがランプに接触する場合がある。これによりディスクの振動は規制されるもののランプ自体が破損することもある。
【０００４】
衝撃時のディスクの振動を抑制するため、リミッタを備えるディスク装置が開示されている。リミッタは、例えば、サスペンションや、ヘッドを支持するサスペンションを支持および駆動するキャリッジに設けることができる（例えば、特許文献１）。
【０００５】
一方、ディスク装置のベースモータとトップカバーとで密閉された機構部であるＨＤＡ（Ｈｅａｄ  Ｄｉｓｋ  Ａｓｓｅｍｂｌｙ）の内部は高度な清浄度が維持されている必要がある。このため、ディスク装置には、ＨＤＡ内に発生した塵埃を捕集してヘッドとディスクとの間にゴミが巻き込まれてヘッドクラッシュが発生するのを防止するための循環フィルタが設けられている。さらに、ＨＤＡ外部との気圧差を吸収し、塵埃の進入を防止する呼吸フィルタを備えるものもある（例えば、特許文献２）。
【０００６】
【特許文献１】特開２００７−２２０２４０号公報
【特許文献２】米国特許第５４０６４３１号明細書
【発明の開示】
【発明が解決しようとする課題】
【０００７】
しかし、特許文献１のディスク装置のようにリミッタをキャリッジに設けた場合、ディスクとリミッタとの接触時にサスペンションが振動し、ＨＤＤの性能への影響が考えられる。また、リミッタがディスクの回転中心に対してランプと同一側にあるため、ディスクの振動を狭い範囲でしか抑制できない可能性がある。
【０００８】
また、近年では、ディスク装置の小型化が進められている。このため、なるべく装置の構成部品数を減らすことが望ましい。
【０００９】
そこで、本発明は、上記問題に鑑みてなされたものであり、本発明の目的とするところは、ディスクの振動を適切に抑制し、ランプの破損を低減させることが可能な、新規かつ改良されたディスク装置およびフィルタを提供することにある。
【課題を解決するための手段】
【００１０】
上記課題を解決するために、本発明のある観点によれば、記録媒体であるディスクを回転させる回転駆動部と、ディスクに対して記録再生を行うヘッドをディスク上の所定の地位に回転移動させるヘッドスタックアセンブリとをベース上に備えるディスク装置が提供される。ディスク装置によれば、ディスク上から退避されたヘッドを載置するランプと回転駆動部の回転中心に対して略対称に設けられ、回転駆動部の回転軸方向におけるディスクの動きを規制するリミッタを有するフィルタを備えることを特徴とする。
【００１１】
本発明によれば、ディスク装置に設けられるフィルタに、ディスクの振れを抑制するリミッタが備えられる。リミッタを備えるフィルタは、回転駆動部の回転中心に対してランプと略対象となるベース上の位置に設けられる。かかる位置においてリミッタによりディスクの振れを抑制することにより、ランプの削れを低減することができる。
【００１２】
ここで、リミッタは、ディスクの情報記録領域ではない外周領域において回転駆動部の回転軸方向におけるディスクの動きを規制するようにしてもよい。これにより、情報が記録されるディスクの情報記録領域の損傷を防ぐことができる。
【００１３】
また、フィルタのリミッタは、ディスクの外周領域上方に位置する第１のリミッタ部と、ディスクの外周領域下方に位置する第２のリミッタ部と、を備えるように構成することができる。ここで、リミッタは、ディスクの回転軸方向において、第１のリミッタ部とディスクとの距離および第２のリミッタ部とディスクとの距離は、ランプとディスクとの距離より小さくなるように形成される。これにより、第１のリミッタ部または第２のリミッタ部をランプよりも先に振動するディスクに接触させることができる。したがって、ディスクとの接触によるランプの削れを低減することができる。
【００１４】
さらに、第１のリミッタ部および第２のリミッタ部のディスクと対向する面には、ディスクの回転中心から離隔するにつれてディスクに接近する傾斜を形成することもできる。これにより、リミッタはディスクの縁部と接触するようになるため、ディスクとの接触によるリミッタの削れも低減することができる。また、かかる面に、ディスク側に突出する突起部を形成してもよい。これにより、リミッタとディスクとの接触面積を低減することができ、接触時におけるディスクやリミッタへの負荷を軽減させることができる。
【００１５】
また、フィルタは、例えばベースの一の角部に設けるようにしてもよい。さらに、第１のリミッタ部と第２のリミッタ部とは、ディスクの回転軸方向において対向しないように形成してもよい。これにより、リミッタの製作を容易にすることができる。
【００１６】
また、上記課題を解決するために、本発明の別の観点によれば、記録媒体であるディスクを回転させる回転駆動部と、ディスクに対して記録再生を行うヘッドをディスク上の所定の地位に回転移動させるヘッドスタックアセンブリとを備えるディスク装置に設けられるフィルタが提供される。かかるフィルタは、ディスク上から退避されたヘッドを載置するランプと回転駆動部の回転中心に対して略対称に設けられ、ディスクの情報記録領域ではない外周領域において回転駆動部の回転軸方向におけるディスクの動きを規制するリミッタを備えることを特徴とする。
【発明の効果】
【００１７】
以上説明したように本発明によれば、ディスクの振動を適切に抑制し、ランプの破損を低減させることが可能なディスク装置およびフィルタを提供することができる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
まず、図１に基づいて、本発明の実施形態にかかるディスク装置について説明する。なお、図１は、本実施形態にかかるＨＤＤの概略構成を示す平面図である。
【００２０】
本実施形態にかかるＨＤＤ１００は、ディスク装置のひとつであって、図１に示すように、略矩形状のベース１０５に、クランプにより固定されたデータ記録媒体であるディスク１２０を回転させるスピンドルモータ１１０と、ディスク１２０にデータを記録および／または再生するヘッドを備えたＨＳＡ（Ｈｅａｄ  Ｓｔａｃｋ  Ａｓｓｅｍｂｌｙ）１３０とを備えて構成される。また、図１には図示しないが、ベース１０５とともにＨＤＤ１００内部の清浄度を維持するため、ディスク１２０の上面を覆うトップカバーが設けられる。
【００２１】
スピンドルモータ１１０は、ディスク１２０を回転させるモータであり、磁気回路とマグネットとの作用によって回転される。スピンドルモータ１１０の中心部には、スピンドルモータ１１０に装着されたディスク１２０をクランプで固定するためのクランプスクリューが螺合されるねじ穴が形成されている。
【００２２】
ＨＳＡ１３０は、ディスク１２０にデータを記録および／または再生するヘッドと、一端が回転軸に取り付けられ、他端にヘッドを備えたＨＧＡを支持する一対のアームとを有して構成される。アームを回転させて、ヘッドをディスク１２０の所定の位置に移動させることにより、ディスク１２０にデータを記録および／または再生することができる。ＨＳＡ１３０は、例えば、ボイスコイルモータ（Ｖｏｉｃｅ  Ｃｏｉｌ  Ｍｏｔｏｒ；ＶＣＭ）により駆動することができる。
【００２３】
また、ＨＤＤ１００は、装置停止時にディスク面上から退避されたＨＳＡ１３０のヘッドを保持するランプ１４０が設けられる。ランプ１４０は、ディスク面との間におけるヘッドの移送を円滑にするため、略楔形状に形成されたランプ１４０の一部がディスク面上に位置するように設けられる。また、ランプ１４０は、ディスク１２０から離れるにつれてディスク面から離れる方向に傾斜する傾斜面を有している。ランプ１４０は、ＨＳＡ１３０やディスク１２０等との接触による磨耗、発塵の少ない材料から形成される。
【００２４】
さらに、本実施形態にかかるＨＤＤ１００は、リミッタ機能を備えるフィルタ１５０を備える。フィルタ１５０は、ディスク１２０の回転中心に対してランプ１４０と略対称となる位置、すなわち、図１に示すようにＨＤＤ１００のベース１０５の角部に配置されている。また、フィルタ１５０のディスク１２０と対向する側の面は、ディスク１２０の外周に沿って円弧状に形成されている。フィルタ１５０は、ＨＤＡ内の清浄度を維持するとともに、ＨＤＡ外部との気圧差を吸収するフィルタ部（図３の符号１５３）を備える。また、フィルタ１５０は、ディスク１２０の振動を抑制するリミッタ部１５５を備える。フィルタ１５０についての詳細な説明は後述する。
【００２５】
このようなＨＤＤ１００は、スピンドルモータ１１０によりディスク１２０を、例えば図１の矢印方向に回転させる。そして、アームを移動させることによりヘッドをランプ１４０からディスク１２０の所定の位置に移動させ、データの記録および／または再生を行う。装置停止時には、ヘッドをディスク１２０面上からランプ１４０に退避させる。
【００２６】
以上、本実施形態にかかるＨＤＤ１００の概略構成について説明した。本実施形態にかかるＨＤＤ１００は、フィルタ１５０に振動するディスクの振れを抑制するリミッタ部１５５を備えることを特徴とする。そこで、図２〜５に基づいて、本実施形態にかかるＨＤＤ１００に設けられるフィルタ１５０の構成とその機能について説明する。なお、図２は、本実施形態にかかるフィルタ１５０の構成を示す説明図である。図３は、本実施形態にかかるフィルタ１５０の配置を説明するためのＨＤＤ１００の概略構成図である。図４は、本実施形態にかかるフィルタ１５０の他の例を示す概略斜視図である。図５は、本実施形態にかかるフィルタ１５０のリミッタ部１５５とランプ１４０との関係を示す説明図である。
【００２７】
フィルタ１５０のリミッタ部１５５は、図１および図２に示すように、フィルタ１５０のディスク１２０と対向する側に設けられ、ディスク１２０の上方（ｚ軸正方向）への移動を規制する第１のリミッタ部１５１と、ディスク１２０の下方（ｚ軸負方向）への移動を規制する第２のリミッタ部１５２とから構成される。本実施形態のリミッタ部１５５は、第１のリミッタ部１５１と第２のリミッタ部１５２とがディスク１２０の回転軸方向（ｚ方向）に重ならないように設けられている。リミッタ部１５５を含むフィルタ１５０の枠部は、通常一体に形成されることから、第１のリミッタ部１５１と第２のリミッタ部１５２とを離して形成することによりフィルタ１５０の製造を容易にすることができる。
【００２８】
リミッタ部１５５を備える本実施形態のフィルタ１５０は、図３に示すように、ディスク１２０の回転中心に対してランプ１４０と略対称に設けられる。装置に外部から衝撃が加えられたとき、ディスク１２０は回転軸に垂直な面に対して単に傾きを有するだけでなく、振動モードによって湾曲するように面ぶれを起こす場合もある。このようなディスク１２０の面ぶれは、ディスク１２０の回転軸に対して対称となる位置においては、通常、一方の振れが最大となった場合に他方の振れも略最大または最小となる。したがって、フィルタ１５０のリミッタ部１５５をディスク１２０の回転中心に対してランプ１４０と略対称に設けることにより、ディスク１２０が振動したときにリミッタ部１５５によってディスク１２０の振れが抑制されるので、ディスク１２０とランプ１４０との接触を低減させることができる。
【００２９】
フィルタ１５０は、ディスク１２０の回転中心に対してランプ１４０と対称に設けた場合に最も効果的にランプ１４０とディスク１２０との接触を低減させることができる。しかし、図３に示すように、フィルタ１５０のリミッタ部１５５がランプ１４０との対称位置から所定の範囲θ内に設けられていれば、ランプ１４０とディスク１２０との接触を低減させることができる。なお、所定の範囲θは、例えばランプ１４０との対称位置からディスク１２０の回転軸回りに−１５°〜＋１５°の範囲とすることができる。
【００３０】
また、図４および図５に、本実施形態にかかるフィルタ１５０のリミッタ部１５５の変形例を示す。図４のフィルタ１５０は、第１のリミッタ部１５１および第２のリミッタ部１５２のディスク１２０と対向する面１５１ａ、１５２ａが傾斜を有するように形成される。図５に示すように、リミッタ部１５５の傾斜面１５１ａ、１５２ａは、ディスク１２０の回転中心から径方向に離れるにつれて、ディスク面に近づくように形成される。このように、ディスク１２０と対向する面１５１ａ、１５２ａに傾斜を設けることにより、リミッタ部１５５はディスク１２０の縁部と接触してディスク１２０の振動を抑制するようになる。これにより、リミッタ部１５５とディスク１２０との接触時における削れを低減させることができる。
【００３１】
さらに、本実施形態にかかるフィルタ１５０のリミッタ部１５５は、ディスク１２０の振動時に、ランプ１４０よりも先にディスク１２０に接触してディスク１２０の振動を抑制するとともに、ランプ１４０の削れや破損等を低減することが望ましい。このため、フィルタ１５０のリミッタ部１５５は、図５に示すように、第１のリミッタ部１５１のディスク１２０と対向する面１５１ａとディスク１２０の面との距離ｈ１が、ランプ１４０のディスク１２０と対向する面１４０ａとディスク１２０の面との距離ｈ２よりも小さくなるように形成される。これにより、振動するディスク１２０をランプ１４０よりも先にリミッタ部１５５に接触させることができるので、ランプ１４０への衝撃力を軽減させることができる。
【００３２】
また、フィルタ１５０のリミッタ部１５５は、ランプ１４０よりも削れにくいプラスティック材料、例えばＵＬＴＥＭ（登録商標）等のポリエーテルイミド樹脂から形成される。これにより、リミッタ部１５５がディスク１２０と接触した場合のディスク１２０へのダメージを低減することができる。
【００３３】
一方、図４に示すように、リミッタ部１５５のディスク１２０と対向する面に、突起部１５１ｂ、１５２ｂを形成することもできる。突起部１５１ｂ、１５２ｂは、リミッタ部１５５がディスク１２０と接触した際におけるディスク１２０との接触面積を低減するために形成される。すなわち、リミッタ部１５５は、ディスク１２０を突起部１５１ｂ、１５２ｂに点接触あるいは線接触させることにより、ディスク１２０の振れを抑制する。このように、リミッタ部１５５とディスク１２０との接触面積を低減させることにより、削れ等を抑制することができる。
【００３４】
リミッタ部１５５の突起部１５１ｂ、１５２ｂは、例えば、ディスク１２０の径方向に延設された、断面が円弧状（図４参照）や略Ｖ字形状の突起として形成することができる。または、突起部１５１ｂ、１５２ｂとして、例えば略半球形状の突起を１または２以上形成してもよい。
【００３５】
また、フィルタ１５０のリミッタ部１５５は、図５に示すように、リミッタ部１５５の端部がディスク１２０のデータ記録領域よりも外周側の外周領域１２１に位置するように設けられる。すなわち、ディスク１２０の径方向において、ディスク１２０の最外周から端部までのリミッタ部１５５の長さｘ１は、ディスク１２０の外周領域１２１の長さｘ２よりも短い。このようにフィルタ１５０のリミッタ部１５５を配置することにより、リミッタ部１５５がディスク１２０と接触しても情報が記録されるデータ記録領域と接触することはない。したがって、情報の読み書きがなされるデータ記録領域に損傷を与えることなく、ディスク１２０の振れを抑制することができる。
【００３６】
以上、本発明の実施形態にかかるＨＤＤ１００について説明した。かかるＨＤＤ１００は、フィルタ１５０にディスク１２０の振動を抑制するリミッタ部１５５を備えることを特徴とする。このとき、フィルタ１５０は、ディスク１２０の回転中心に対してランプ１４０と略対称となるようにベース１０５に設けられる。これにより、振動するディスク１２０をランプ１４０に接触させることなく、ディスク１２０の振動を適切に抑制することができる。
【００３７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００３８】
例えば、上記実施形態では、第１のリミッタ部１５１と第２のリミッタ部１５２とは回転軸方向に重ならないように形成したが、本発明はかかる例に限定されない。例えば、第１のリミッタ部１５１と第２のリミッタ部１５２とが回転軸方向に重なるように形成してもよい。
【００３９】
また、上記実施形態では、図４に示す形態のリミッタ部１５５は、ディスク１２０との対向面に傾斜を設けるとともに突起部１５１ｂ、１５２ｂを設けたが、本発明はかかる例に限定されず、傾斜または突起のいずれか一方のみを設けてもよい。
【図面の簡単な説明】
【００４０】
【図１】本発明の実施形態にかかるＨＤＤの構成を示す平面図である。
【図２】同実施形態にかかるフィルタの構成を示す説明図である。
【図３】同実施形態にかかるフィルタの配置を説明するためのＨＤＤの概略構成図である。
【図４】同実施形態にかかるフィルタの他の例を示す概略斜視図である。
【図５】同実施形態にかかるフィルタのリミッタ部とランプとの関係を示す説明図である。
【符号の説明】
【００４１】
１００              ＨＤＤ
１０５              ベース
１１０              スピンドルモータ
１２０              ディスク
１３０              ＨＳＡ
１４０              ランプ
１５０              フィルタ
１５１              第１のリミッタ部
１５１ｂ、１５２ｂ  突起部
１５２              第２のリミッタ部
１５３              フィルタ部
１５５              リミッタ部
【図１】
2009158000.tif 000003
【図２】
2009158000.tif 000004
【図３】
2009158000.tif 000005
【図４】
2009158000.tif 000006
【図５】
2009158000.tif 000007